(57)【特許請求の範囲】
【請求項１】
照明器具の明るさを調整するために操作されるロータリーエンコーダと、
前記ロータリーエンコーダの出力信号に含まれるロータリーエンコーダの回転方向、及び回転速度に基づき、前記照明器具の最小の明るさと最大の明るさの間を複数等分した調光段階を変更することにより前記照明器具の調光段階を制御する制御部と、
を具備し、
前記制御部は、前記ロータリーエンコーダの回転方向が第１方向である場合で、回転速度が第１速度である場合、前記調光段階を第１段階アップさせ、前記ロータリーエンコーダの回転方向が前記第１方向と逆の第２方向である場合で、回転速度が前記第１速度である場合、前記調光段階を前記第１段階ダウンさせ、
前記ロータリーエンコーダの回転方向が前記第１方向である場合で、回転速度が前記第１速度より速い第２速度である場合、前記調光段階を前記第１段階より多い第２段階アップさせ、前記ロータリーエンコーダの回転方向が前記第２方向である場合で、回転速度が前記第１速度より速い前記第２速度である場合、前記調光段階を前記第１段階より多い前記第２段階ダウンさせることを特徴とする調光装置。
【請求項２】
照明器具の明るさを調整するために操作されるロータリーエンコーダと、
前記ロータリーエンコーダの出力信号に含まれるロータリーエンコーダの回転方向、及び回転速度に基づき、前記照明器具の最小の明るさと最大の明るさの間を複数等分した調光段階を変更することにより前記照明器具の調光段階を制御する制御部と、
調光用のアップコマンド、又はダウンコマンドを発生し、無線送信するリモートコントローラと、
前記リモートコントローラから送信された前記アップコマンド、又は前記ダウンコマンドを受信し、前記制御部に供給する受信部と、
を具備し、
前記制御部は、前記ロータリーエンコーダの回転方向が第１方向である場合で、回転速度が第１速度である場合、前記調光段階を第１段階アップさせ、前記ロータリーエンコーダの回転方向が前記第１方向と逆の第２方向である場合で、回転速度が前記第１速度である場合、前記調光段階を前記第１段階ダウンさせ、
前記リモートコントローラから前記アップコマンドが一定時間送信されたとき、前記調光段階を第１段階アップさせ、前記リモートコントローラから前記ダウンコマンドが前記一定時間送信されたとき、前記調光段階を前記第１段階ダウンさせ、
前記リモートコントローラから前記アップコマンドが前記一定時間より長い時間送信されたとき、前記調光段階を第１段階より多い第２段階アップさせ、前記リモートコントローラから前記ダウンコマンドが前記一定時間より長い時間送信されたとき、前記調光段階を前記第１段階より多い第２段階ダウンさせることを特徴とする調光装置。
【請求項３】
前記調光段階を記憶する記憶部をさらに具備することを特徴とする請求項１又は２に記載の調光装置。
【発明の詳細な説明】
【技術分野】
【０００１】
本発明の実施形態は、例えば照明器具の明るさを調整する調光装置に関する。
【背景技術】
【０００２】
一般に、調光装置は、可変抵抗器を具備し、可変抵抗器を操作することにより、照明器具の調光レベルが調整される（例えば特許文献１、特許文献２参照）。
【先行技術文献】
【特許文献】
【０００３】
【特許文献１】特開２０１１−３４０８号公報
【特許文献２】特開２０１９−３３０９８号公報
【発明の概要】
【発明が解決しようとする課題】
【０００４】
可変抵抗器を用いた調光装置の場合、可変抵抗器の機械的な動作範囲が限られている。すなわち、可変抵抗器を操作する操作部の回転角度は、３００°以下であり、この範囲において、調光レベルが変更可能とされている。このため、操作者は、調光レベルを変更するために、３００°以下の範囲内で操作部を微妙に回転させる必要があり、調光レベルを変更することが煩雑であった。
【０００５】
本発明の実施形態は、調光レベルを容易に変更することが可能な調光装置を提供するものである。
【課題を解決するための手段】
【０００６】
本実施形態の調光装置は、照明器具の明るさを調整するために操作されるロータリーエンコーダと、前記ロータリーエンコーダの出力信号に含まれるロータリーエンコーダの回転方向、及び回転速度に基づき、前記照明器具の最小の明るさと最大の明るさの間を複数等分した調光段階を変更することにより前記照明器具の調光段階を制御する制御部と、を具備し、前記制御部は、前記ロータリーエンコーダの回転方向が第１方向である場合で、回転速度が第１速度である場合、前記調光段階を第１段階アップさせ、前記ロータリーエンコーダの回転方向が前記第１方向と逆の第２方向である場合で、回転速度が前記第１速度である場合、前記調光段階を前記第１段階ダウンさせ、前記制御部は、前記ロータリーエンコーダの回転方向が前記第１方向である場合で、回転速度が前記第１速度より速い第２速度である場合、前記調光段階を前記第１段階より多い第２段階アップさせ、前記ロータリーエンコーダの回転方向が前記第２方向である場合で、回転速度が前記第１速度より速い前記第２速度である場合、前記調光段階を前記第１段階より多い前記第２段階ダウンさせる。
【図面の簡単な説明】
【０００７】
【図１】本実施形態に係る調光装置の外観を示す斜視図。
【図２】本実施形態に係る調光装置の回路構成を示す構成図。
【図３】図２を具体的に示す構成図。
【図４】本実施形態に係る調光装置の動作を示すフローチャート。
【図５】図４に続く動作を示すフローチャート。
【図６】図５に続く動作を示すフローチャート。
【図７】図６に続く動作を示すフローチャート。
【発明を実施するための形態】
【０００８】
以下、実施の形態について、図面を参照して説明する。図面において、同一部分には、同一符号を付している。
【０００９】
（調光装置の構成）
図１は、本実施形態に係る調光装置１０を概略的に示している。調光装置１０は、建物の例えば壁に設置される調光装置本体（以下、本体とも言う）１１と、本体１１を遠隔操作することが可能なリモートコントローラ（以下、リモコンと称す）１２とを具備している。
【００１０】
本体１１は、電源スイッチ１３と、ロータリーエンコーダ１４と、受信部１５を具備している。
【００１１】
電源スイッチ１３は、調光装置１０に接続された照明器具、例えばＬＥＤ照明などの電源をオン、オフする。
【００１２】
ロータリーエンコーダ１４は、３６０°以上回転することが可能な操作部１４ａを有し、操作部１４ａは、照明器具の明るさを調整するために操作される。本実施形態において、操作部１４ａが右回りに操作されると、調光レベル（以下、調光段階と称す）がアップ（ＵＰ）されて照明器具の明るさが増加され、操作部１４ａが左回りに操作されると、調光段階がダウン（ＤＯＷＮ）されて照明器具の明るさが低減される。
【００１３】
本実施形態において、調光段階とは、照明器具の最小の明るさから最大の明るさまでを例えば５６等分し、最小の明るさを「１」段階、最大の明るさを「５６」段階と定めたものである。このため、照明器具の明るさは、最小「１」から最大「５６」まで、１段階ずつ調整可能とされている。調光段階「０」は、調光装置１０の出力が完全にオフの状態であり、電源スイッチ１３がオンで、消灯された状態である。
【００１４】
ロータリーエンコーダ１４は、操作部１４ａの操作に従って、操作部１４ａの回転方向と、操作部１４ａの回転速度とをデジタル信号で出力する。操作部１４ａの回転方向は、以下、ロータリーエンコーダの回転方向とも言い、操作部１４ａの回転速度は、以下、ロータリーエンコーダの速度とも言う。ロータリーエンコーダの速度は、ロータリーエンコーダが操作されたとき、ロータリーエンコーダから次々に出力されるデジタル信号の時間間隔から換算できる。
【００１５】
受信部１５は、リモコン１２からの信号を受ける部分である。この受信部１５は、例えば赤外線を受ける受光素子を含んでいる。しかし、赤外線に限定されるものではなく、超音波や高周波信号などを使用することも可能であり、受信部１５の構成は、それらに従って、変形可能である。
【００１６】
リモコン１２は、例えば赤外線により、本体１１に各種のコマンドを送信する。リモコン１２は、例えば点灯ボタン１２ａと、消灯ボタン１２ｂと、調光用の第１ボタン（ＵＰ）１２ｃと、第２ボタン（ＤＯＷＮ）１２ｄとを具備している。
【００１７】
さらに、リモコン１２は、図示されていないが、点灯ボタン１２ａ、消灯ボタン１２ｂ、第１ボタン１２ｃ、及び第２ボタン１２ｄに接続され、これらボタンの操作に従って各種のコマンドを生成する制御部と、制御部により生成されたコマンドを赤外線として送信する発光素子とを具備している。
【００１８】
点灯ボタン１２ａ、又は消灯ボタン１２ｂが操作された場合、リモコン１２は、調光装置１０に接続された照明器具の電源をオン、又はオフするためのコマンドを送信する。
【００１９】
第１ボタン１２ｃが操作された場合、リモコン１２は、照明器具の明るさを増加するためのＵＰコマンドを送信する。
【００２０】
第２ボタン１２ｄが操作された場合、リモコン１２は、照明器具の明るさを低減させるためのＤＯＷＮコマンドを送信する。
【００２１】
図２、図３は、本実施形態の調光装置の回路構成を概略的に示している。しかし、回路構成は、図２、３に限定されるものではなく、変形可能である。
【００２２】
図２において、本実施形態の本体１１は、例えば２線式であり、交流電源２２の一端に接続された配線２３ａに双方向スイッチング素子、例えばトライアック２４が挿入接続される。配線２３ａには、さらに例えばＬＥＤ照明器具２５の一端が接続される。ＬＥＤ照明器具２５の他端は、配線２３ｂ、電源スイッチ１３を介して交流電源２２の他端に接続される。
【００２３】
電源生成回路２７は、トライアック２４の両端に接続され、トライアック２４のオフ期間に直流電源を生成する。直流電源は、制御部２８に電源として供給される。
【００２４】
制御部２８は、直流電源によって駆動され、ロータリーエンコーダ１４の出力データ及び受信部１５の出力データに従ってトライアック２４の位相角を制御する。
【００２５】
図３は、図２の具体例を示している。図３において、トライアック２４が接続された配線２３ａには、コイル２９が挿入接続される。
【００２６】
電源生成回路２７は、トライアック２４とコイル２９の両端間に接続された例えば整流回路２７ａとレギュレータ回路２７ｂとにより構成される。
【００２７】
整流回路２７ａは、配線２３ａとトライアック２４の出力端に接続された４つのダイオードにより構成された全波整流回路である。すなわち、４つのダイオードのうち、例えば第１、第２のダイオードのアノードは配線２３ａとトライアック２４の出力端にそれぞれ接続される。第３、第４のダイオードのカソードは配線２３ａとトライアック２４の出力端にそれぞれ接続され、アノードは接地される。このような構成において、第１乃至第４のダイオードにより交流電源２２が整流され、第１、第２のダイオードのカソードから全波整流出力が得られる。
【００２８】
レギュレータ回路２７ｂは、例えばトランジスタ、ツェナーダイオード、複数のコンデンサ、複数の抵抗、及び周知の３端子レギュレータにより構成される。整流回路２７ａの整流出力は、例えば抵抗を介してトランジスタの電流通路の一端に供給されるとともに、抵抗を介してトランジスタのゲートに接続される。トランジスタのゲートと接地間にツェナーダイオードが接続される。トランジスタの電流通路の他端と接地間にコンデンサが接続され、このコンデンサに安定化された直流電圧が出力される。このコンデンサの出力電圧が３端子レギュレータの第１の端子に供給され、このレギュレータの第２の端子より例えば３．３Ｖの直流電圧が出力される。第３の端子は接地される。レギュレータ回路２７ｂにより生成された直流電圧は、制御部２８に動作電源として供給される。
【００２９】
電源生成回路２７を構成する整流回路２７ａの出力端には、ゼロクロス検出回路３０が接続される。ゼロクロス検出回路３０は、例えばトランジスタにより構成されている。トランジスタの電流通路の一端は、レギュレータ回路２７ｂに接続され、レギュレータ回路２７ｂから電源が供給される。また、トランジスタの電流通路の他端は接地される。トランジスタのゲートに全波整流出力が供給される。トランジスタは、全波整流出力がある場合、オンし、電流通路の一端はローレベルとなる。また、全波整流出力がゼロ電位となると、トランジスタがオフし、電流通路の一端はハイレベルとなる。このハイレベルの信号がゼロクロスパルス信号として制御部２８に供給される。
【００３０】
制御部２８は、例えばマイクロプロセッサにより構成されている。制御部２８には、ロータリーエンコーダ１４と、受信部１５が接続される。
【００３１】
制御部２８は、ロータリーエンコーダ１４から供給される操作部１４ａの回転方向と、回転速度のデジタル信号、又は受信部１５から供給されるリモコン１２のコマンドに基づき、調光段階を生成する。さらに、制御部２８は、調光段階とゼロクロス検出回路３０から供給されるゼロクロスパルス信号に基づき、ゲート駆動回路２６を介してトライアック２４のゲートを制御する制御信号を出力する。制御信号は、一瞬のパルス信号ではなく、トライアック２４のオン期間の大部分において、継続して出力される。したがって、トライアック２４は、所謂直流トリガ信号により制御される。
【００３２】
制御部２８から出力される制御信号は、ゲート駆動回路２６に供給される。ゲート駆動回路２６は、図示せぬ例えばフォトカプラと整流回路により構成され、制御信号は、フォトカプラを介して整流回路に供給され、整流回路の出力電圧がトライアック２４のゲートに供給される。
【００３３】
制御部２８は、例えば不揮発性のメモリ３２を含み、電源スイッチ１３がオフされたとき、その時点の調光段階をメモリ３２に記憶させる。また、制御部２８は、電源スイッチ１３がオンとされたとき、メモリ３２から調光段階を読み出し、その調光段階に従って、照明器具２５を点灯させる。
【００３４】
また、コイル２９とトライアック２４に対して並列にノイズフィルタ３１が接続されている。
【００３５】
さらに、例えば電源スイッチ１３と並列に図示せぬ電子スイッチが接続されてもよい。この電子スイッチは、リモコン１２の点灯ボタン１２ａ、又は消灯ボタン１２ｂが操作されたとき、制御部２８によりオン、又はオフされ、電源スイッチ１３を代替する。制御部２８は、電源スイッチ１３、又は電子スイッチがオフのとき、図示せぬ待機電源により受信部１５の出力信号を受信可能されていてもよい。
【００３６】
（調光装置の動作）
図４乃至図７を参照して調光装置１０の動作について説明する。図４乃至図７は、制御部２８の動作の一例を示している。
【００３７】
図４に示すように、本体１１の電源スイッチ１３がオンとされた場合、又はリモコンの点灯ボタン１２ａが押された場合、制御部２８は、初期設定を行う（Ｓ１１）。具体的には、例えばゼロクロス検出回路３０から供給されるゼロクロスパルス信号の周期を計測し、電源周波数が５０Ｈｚであるか、６０Ｈｚであるかを判別する。すなわち、制御部２８は、交流電源の半周期に生じる２つのゼロクロスポイントの間において、例えばクロック信号をカウントし、このカウント値と電源周波数に対応して予め定められた基準値とを比較することにより、電源周波数を判別する。
【００３８】
さらに、制御部２８は、例えば電源スイッチ１３がオフとされたとき、メモリ３２から消灯時に格納された調光段階を読み出し、この調光段階とゼロクロス検出回路３０から供給されるゼロクロスパルス信号に基づき、トライアック２４のゲートを制御し、照明器具２５を点灯させる。初期設定の動作は、これに限定されるものではなく、変形可能である。
【００３９】
初期設定が行われた後、制御部２８は、ロータリーエンコーダ１４が操作されたかどうかを判断する。具体的には、ロータリーエンコーダ１４が右回りに操作されたかが判断される（Ｓ１２）。
【００４０】
この結果、右回りに操作された場合（Ｓ１２、ＹＥＳ）、直前の右回りの操作から１５ｍｓ以上の時間が経過していないかが判断される（Ｓ１３）。すなわち、直前の右回りの操作から次の右回りの操作が短時間の間に行われたかどうかが判断され、ロータリーエンコーダ１４が高速に操作されたかどうかが判断される。
【００４１】
直前の右回りの操作から１５ミリ秒（以下、ｍｓと記す）以上の時間が経過していないと判断された場合（Ｓ１３、ＹＥＳ）、ロータリーエンコーダ１４が高速に操作されたものとして、調光段階が最大の「５６」とされる（Ｓ１４）。
【００４２】
一方、直前の右回りの操作から１５ｍｓ以上の時間が経過していると判断された場合（Ｓ１３、ＮＯ）、直前の右回りの操作から１００ｍｓ以上の時間が経過したかどうかが判断される（Ｓ１５）。
【００４３】
この結果、１００ｍｓ以上の時間が経過していないと判断された場合（Ｓ１５、ＮＯ）、ロータリーエンコーダ１４が中速で操作されたものとして、調光段階が「＋５」される（Ｓ１６）。すなわち、現在の調光段階が５段階アップされる。
【００４４】
また、１００ｍｓ以上の時間が経過したと判断された場合（Ｓ１５、ＹＥＳ）、ロータリーエンコーダ１４が低速で操作されたものとして、調光段階が「＋１」される（Ｓ１７）。すなわち、調光段階が１段階アップされる。
【００４５】
また、Ｓ１２において、ロータリーエンコーダ１４が右回りに操作されていないと判断された場合（Ｓ１２、ＮＯ）、及びＳ１４、Ｓ１６、Ｓ１７の後、制御がＳ１８に移行される。
【００４６】
図５に示すように、Ｓ１８では、ロータリーエンコーダ１４が左回りに操作されたかが判断される。
【００４７】
この結果、左回りに操作された場合（Ｓ１８，ＹＥＳ）、直前の左回りの操作から１５ｍｓ以上の時間が経過していないかが判断される（Ｓ１９）。すなわち、直前の左回りの操作から次の左回りの操作が短時間の間に行われたかどうかが判断され、ロータリーエンコーダ１４が高速に操作されたかどうかが判断される。
【００４８】
直前の左回りの操作から１５ｍｓ以上の時間が経過していないと判断された場合（Ｓ１９、ＹＥＳ）、ロータリーエンコーダ１４が高速に操作されたものとして、調光段階が最小の「１」とされる（Ｓ２０）。
【００４９】
一方、直前の左回りの操作から１５ｍｓ以上の時間が経過していると判断された場合（Ｓ１９、ＮＯ）、直前の左回りの操作から１００ｍｓ以上の時間が経過したかどうかが判断される（Ｓ２１）。
【００５０】
この結果、１００ｍｓ以上の時間が経過していないと判断された場合（Ｓ２１、ＮＯ）、ロータリーエンコーダ１４が中速で操作されたものとして、調光段階が「−５」される（Ｓ２２）。すなわち、調光段階が５段階ダウンされる。
【００５１】
また、１００ｍｓ以上の時間が経過したと判断された場合（Ｓ２１、ＹＥＳ）、ロータリーエンコーダ１４が低速で操作されたものとして、調光段階が「−１」される（Ｓ２３）。すなわち、調光段階が１段階ダウンされる。
【００５２】
また、Ｓ１８において、ロータリーエンコーダ１４が左回りに操作されていないと判断された場合（Ｓ１８，ＮＯ）、及びＳ２０、Ｓ２２、Ｓ２３の後、制御がＳ２４に移行される。
【００５３】
図６に示すように、Ｓ２４では、リモコン１２の第１ボタン（ＵＰ）１２ｃが操作され、ＵＰコマンドが送信されたかどうかが判断される。
【００５４】
この結果、第１ボタン１２ｃが操作され、ＵＰコマンドが送信された場合（Ｓ２４、ＹＥＳ）、直前のＵＰコマンドから連続して１秒（以下、ｓと記す）以上のＵＰコマンドが送信されたかどうかが判断される（Ｓ２５）。すなわち、直前のＵＰコマンドから連続して１ｓ以上のＵＰコマンドが送信されたかどうかを判断することにより、高速な調光要求かどうかが判断される。
【００５５】
直前のＵＰコマンドから連続して１ｓ以上ＵＰコマンドが送信されていないと判断された場合（Ｓ２５、ＮＯ）、高速な調光要求ではないとして、調光段階が「＋１」される。すなわち、調光段階が１段階アップされる（Ｓ２６）。
【００５６】
一方、直前のＵＰコマンドから連続して１ｓ以上ＵＰコマンドが送信されたと判断された場合（Ｓ２５、ＹＥＳ）、直前のＵＰコマンドから連続して２ｓ以上ＵＰコマンドが送信されたたかどうかが判断される（Ｓ２７）。
【００５７】
この結果、連続して２ｓ以上ＵＰコマンドが送信されていないと判断された場合（Ｓ２７、ＮＯ）、中速な調光要求として、調光段階が「＋２」される。すなわち、調光段階が２段階アップされる（Ｓ２８）。
【００５８】
また、連続して２ｓ以上ＵＰコマンドが送信されたと判断された場合（Ｓ２７、ＹＥＳ）、高速な調光要求として、調光段階が「＋４」される。すなわち、調光段階が４段階アップされる（Ｓ２９）。
【００５９】
また、Ｓ２４において、リモコン１２の第１ボタン（ＵＰ）１２ｃが操作されていないと判断された場合（Ｓ２４、ＮＯ）、及びＳ２６、Ｓ２８、Ｓ２９の後、制御がＳ３０に移行される。
【００６０】
図７に示すように、Ｓ３０では、リモコン１２の第２ボタン（ＤＯＷＮ）１２ｄが操作され、ＤＯＷＮコマンドが送信されたかどうかが判断される。
【００６１】
この結果、第２ボタン１２ｄが操作され、ＤＷＯＮコマンドが送信された場合（Ｓ３０、ＹＥＳ）、直前のＤＯＷＮコマンドから連続して１ｓ以上のＤＯＷＮコマンドが送信されたかどうかが判断される（Ｓ３１）。すなわち、直前のＤＯＷＮコマンドから連続して１ｓ以上のＤＯＷＮコマンドが送信されたかどうかを判断することにより、高速な調光要求かどうかが分かる。
【００６２】
直前のＤＯＷＮコマンドから連続して１ｓ以上ＤＯＷＮコマンドが送信されていないと判断された場合（Ｓ３１、ＮＯ）、高速な調光要求ではないとして、調光段階が「−１」される。すなわち、調光段階が１段階ダウンされる（Ｓ３２）。
【００６３】
一方、直前のＤＯＷＮコマンドから連続して１ｓ以上ＤＯＷＮコマンドが送信されたと判断された場合（Ｓ３１、ＹＥＳ）、直前のＤＯＷＮコマンドから連続して２ｓ以上ＵＰコマンドが送信されたたかどうかが判断される（Ｓ３３）。
【００６４】
この結果、連続して２ｓ以上ＤＯＷＮコマンドが送信されていないと判断された場合（Ｓ３３、ＮＯ）、中速な調光要求として、調光段階が「−２」される。すなわち、調光段階が２段階ダウンされる（Ｓ３４）。
【００６５】
また、連続して２ｓ以上ＤＯＷＮコマンドが送信されたと判断された場合（Ｓ３３、ＹＥＳ）、高速な調光要求として、調光段階が「−４」される。すなわち、調光段階が４段階ダウンされる（Ｓ３５）。
【００６６】
また、Ｓ３０において、リモコン１２の第２ボタン（ＤＯＷＮ）１２ｄが操作されていないと判断された場合（Ｓ３０、ＮＯ）、及びＳ３２、Ｓ３４、Ｓ３５の後、制御がＳ３６に移行される。
【００６７】
Ｓ３６では、ロータリーエンコーダ１４、又はリモコン１２により設定された調光段階に従って照明器具の明るさが制御される。すなわち、制御部２８は、設定された調光段階に従って、ゼロクロス検出回路３０により検出されたゼロクロスポイントからトライアック２４をオンさせるまでの期間を計算し、ゲート駆動回路２６を制御する。従って、照明器具２５の明るさが変化される。
【００６８】
本体１１の電源がオンのとき、上記Ｓ１２からＳ３６の動作が繰り返され、照明器具の調光が行われる。
【００６９】
電源スイッチ１３がオフとされた場合、又はリモコンの消灯ボタン１２ｂが押された場合、その時点における調光段階がメモリ３２に格納される。
【００７０】
（実施形態の効果）
上記実施形態によれば、調光装置１０の本体１１は、ロータリーエンコーダ１４、制御部１８を具備し、制御部１８は、ロータリーエンコーダ１４の回転方向、及び回転速度に従って、調光段階を変化させている。ロータリーエンコーダ１４は、操作部１４ａを３６０°以上回転させることができる。このため、操作部１４ａの回転角度に関らず、操作部１４ａを高速に回転させれば、照明器具２５を高速に最大の明るさ、又は最初の明るさとすることができる。また、操作部１４ａの回転角度に関らず、操作部１４ａをゆっくり回転させれば照明器具の明るさを微調整することができる。したがって、明るさの調整を容易に行うことが可能である。
【００７１】
本実施形態に係る制御部１８は、ロータリーエンコーダ１４からのデジタル信号、及びリモコン１２からのコマンドに従って、調光段階を制御し、調光段階は、メモリ３２に記憶される。このため、本体１１の電源スイッチ１３が操作された場合と、リモコン１２の点灯ボタン１２ａが操作された場合とで、調光段階が異なることがなく、ロータリーエンコーダ１４、及びリモコン１２を用いて正確な調光が可能である。
【００７２】
仮に、可変抵抗器を用いた調光装置とリモコンを組み合わせた場合において、可変抵抗器で設定された電圧をリモコンで変更する場合、又はその逆の場合、可変抵抗器から出力されるアナログ電圧と、リモコンで設定された電圧との間で誤差が生じ、照明器具の明るさが滑らかに変化しない。しかし、本実施形態の場合、本体１１とリモコン１２とで共通の調光段階を用いるため、本体１１で設定した調光段階とリモコン１２で設定した調光段階に誤差が生じない。したがって、照明器具の明るさを滑らかに変化させることが可能である。
【００７３】
また、１つの調光装置により複数の照明器具を調光する場合、可変抵抗器を用いた調光装置の場合、可変抵抗器を多段構成とする必要がある。しかし、本実施形態の場合、ロータリーエンコーダ１４からはデジタル信号が出力されるため、本体１０に設けられた１つのロータリーエンコーダ１４により同時に複数の照明器具を調光することが可能である。
【００７４】
また、多段構成の可変抵抗器は、各可変抵抗器の抵抗値にばらつきがあるため、複数の照明器具を均一に調光することが困難である。しかし、本実施形態の場合、本体１０に設けられた１つのロータリーエンコーダ１４により同時に複数の照明器具を均一に調光することが可能である。
【００７５】
さらに、調光装置の操作部と本体との間の距離が長い場合、長い配線により、操作部と本体とを接続する必要がある。具体的には、可変抵抗器を用いた調光装置において、操作部としての可変抵抗器が本体から離れて設置される場合、可変抵抗器の出力はアナログ電圧であるため、長い配線により信号が劣化する。しかし、本実施形態の場合、操作部としてのロータリーエンコーダ１４と本体１１とが離れている場合においても、ロータリーエンコーダ１４の出力はデジタル信号であるため、信号劣化が少なく、正確な調光が可能である。
【００７６】
可変抵抗器を用いた調光装置の場合、可変抵抗器が機械的な接触機構を伴うため、可変抵抗器の寿命により調光装置の寿命が左右される。しかし、本実施形態の場合、ロータリーエンコーダ１４は非接触であるため、ロータリーエンコーダ１４により、調光装置１０の寿命が左右されることがなく、長期の使用に耐えることが可能である。
【００７７】
尚、上記実施形態において、トライアック２４の制御は、位相制御に限らず、逆位相制御であってもよい。
【００７８】
その他、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７９】
１０…調光装置、１１…本体、１２…リモートコントローラ、１３…電源スイッチ、１４…ロータリーエンコーダ、１５…受信部、２８…制御部、３２…メモリ。
【要約】 
【課題】  調光レベルを容易に変更することが可能な調光装置を提供する。
【解決手段】  ロータリーエンコーダ１４は、照明器具の明るさを調整するために操作される。制御部１８は、ロータリーエンコーダの出力信号に含まれるロータリーエンコーダの回転方向、及び回転速度に基づき、照明器具の最小の明るさと最大の明るさの間を複数等分した調光段階を変更することにより照明器具の調光段階を制御する。制御部１８は、ロータリーエンコーダの回転方向が第１方向である場合で、回転速度が第１速度である場合、調光段階を第１段階アップさせ、ロータリーエンコーダの回転方向が第１方向と逆の第２方向である場合で、回転速度が第１速度である場合、調光段階を第１段階ダウンさせる。
【選択図】図２【図１】
0006900527.tif 000002
【図２】
0006900527.tif 000003
【図３】
0006900527.tif 000004
【図４】
0006900527.tif 000005
【図５】
0006900527.tif 000006
【図６】
0006900527.tif 000007
【図７】
0006900527.tif 000008